(57)【要約】      （修正有）【課題】井戸内に排出した可燃性ガスを溜めないで大気中に排出する密封式吐出曲管架台を提供する。【解決手段】吐出曲管架台３の周面にガス抜ソケット１３を設け外部にガスを排出する。前記吐出曲管架台３は、第１環状凹部７と第２環状凹部８を形成し、該ケーシングの上端に前記凹部８を掛止させて前記凹部７内にオーリングを介して固定リング９を挿入して固定する。前記蓋体１５に設けた通孔の上面に、オーリングを収容する凹溝を設け、貫通穴を設けて前記蓋体１５上に止ボルトで固着させたアダプターの上面に、下端にオーリングを前記ケーブルに密着させる斜押圧面を、中央に具えた挿通口を有する止水カバー片で固着し、前記蓋体の通孔を貫通した動力ケーブルの周囲を水密にする。【選択図】図１
0003143725.tif 000002
【実用新案登録請求の範囲】
【請求項１】
ケーシング（１）の上端に取付ける吐出曲管架台（３）の上面に、下端に水中ポンプを連結した揚水パイプ（２３）に接続する吐出曲管（２０）を貫通した蓋体（１５）を取付けた深井戸ポンプにおいて、
前記吐出曲管架台（３）の周面に、少なくとも１つのガス抜ソケット（１３）を設けたことを特徴とする密封式吐出曲管架台。
【請求項２】
前記ガス抜ソケット（１３）に連結した排気パイプ（５０）の先端部（５１）を大気中に配してなる請求項１記載の密封式吐出曲管架台。
【請求項３】
前記吐出曲管架台（３）は、その周面にガスケット（１３）を設けて前記ケーシング（１）の外径よりやや大径な内径をした第１環状凹部（７）を下端内面に設け、該凹部（７）に連続して上方内面に該ケーシングと略同径をした第２環状凹部（８）を形成し、該ケーシングの上端に前記凹部（８）を掛止させると共に、前記凹部（７）内にオーリング（１１）を介して下方から挿入させた固定リング（９）を止ボルト（１２）で固定し、該ケーシング（１）と吐出曲管架台（３）の下部を密封して連結した請求項１記載の密封式吐出曲管架台。
【請求項４】
前記吐出曲管（２０）を貫通してなる前記蓋体（１５）に設けた、動力ケーブル挿通用の通孔（１６）の上面に下面周囲にオーリング（３４）を収容する凹溝（３２ｂ）を設け、前記通孔（１６）に合致させる貫通穴（３３）を中央に設けて前記蓋体（１５）上に止ボルト（３６）で固着させるアダプター（３２）の上面に、オーリング（４０）を動力ケーブル（３０）に密着させる斜押圧面（３９ａ）を下端に有した挿通口（３９）を中央に設けてなる止水カバー片（３８）を止ボルト（４２）で固着し、前記蓋体の通孔（１６）を貫通した動力ケーブル（３０）の周囲を密封してなる請求項１又は３記載の密封式吐出曲管架台。
【請求項５】
前記蓋体（１５）に設けた通孔（１６）は、動力ケーブル（３０）が挿通できるように略楕円形に形成してなる請求項４記載の密封式吐出曲管架台。
【考案の詳細な説明】
【技術分野】
【０００１】
本考案は、井戸内より排出する可燃性ガスを建物内に溜めないように外部に排出して、ガス爆発事故を防止する密封式吐出曲管架台に関するものである。
【背景技術】
【０００２】
都市部分に位置するスーパー銭湯などの温泉施設は、各施設内に位置した浴槽に温泉を供給するため温泉井戸を有しているが、温泉水中には可燃性ガスなどを含んでいる。しかも、深井戸であって地下室などの密閉した建物内に設置してある場合が多い。そのため、井戸内から排出した可燃性ガスが一定のスペースを有した室内に溜めないようにするため、一般には井戸の上に蓋をかぶせて可燃性ガスが井戸外に漏れるのを防止している（特許文献１参照）。しかるに、地下水を汲み上げる水中ポンプに通電する水中ケーブルは蓋を貫通する構造のため、貫通部分を密封構造にしないと井戸の外にガスが漏れるというおそれがあった。
【特許文献１】特開２００１―３４２６５０号公報
【０００３】
井戸の上部を塞いで井戸底から温泉水を汲み上げる標準的な吐出曲管を設ける架台は、井戸の上に取付けるもので、この架台には動力ケーブル、その他のケーブルなどが通る穴を設けてあり、この穴と該穴内を挿通するケーブルとの間には隙間が生じてしまうことがある。そのため、井戸内に発生した可燃性ガス（以下、単にガスという）が、それらの隙間から井戸外に漏れ出て建物内など一定のスペースに溜まった状態で引火すると前記ガスが爆発事故をおこすという問題点を有していた。
【考案の開示】
【考案が解決しようとする課題】
【０００４】
本考案は、吐出曲管架台にガス抜ソケットを設け、このガス抜ソケットに連結した排気パイプで安全な場所に誘導して一定のスペース内ガスが溜まらないようにして安全に温泉を楽しめるようにすることを目的とする。
【課題を解決するための手段】
【０００５】
上記課題を達成するために本考案は、ケーシング１の上端に取付ける吐出曲管架台３の上面に、下端に水中ポンプを連結した揚水パイプ２３に接続する吐出曲管２０を貫通した蓋体１５を設けた深井戸ポンプにおいて、前記吐出曲管架台３の周面に、少なくとも１つのガス抜ソケット１３を設けたことを特徴とする。また、前記ガス抜ソケット１３に連結した排気パイプ５０の先端部５１を大気中に配してある。さらに、前記吐出曲管架台３は、その周面にガスケットを１３を設けて前記ケーシング１の外径よりやや大径な内径をした第１環状凹部７を下端内面に設け、該凹部７に連続して上方内面に該ケーシングと略同径をした第２環状凹部８を形成し、該ケーシングの上端に前記凹部８を掛止させると共に、前記凹部７内にオーリング１１を介して下方から挿入させた固定リング９を止ボルト１２で固定し、該ケーシング１と吐出曲管架台３の下部を密封して連結したことを特徴とする。また、前記吐出曲管２０を貫通した前記蓋体１５に設けた、動力ケーブル挿通用の通孔１６の上面に下面周囲にオーリング３４を収容する凹溝３２ｂを設け、前記通孔１６に合致させる貫通穴３３を中央に設けて前記蓋体１５上に止ボルト３６で固着させるアダプター３２の上面に、オーリング４０を動力ケーブル３０に密着させる斜押圧面３９ａを下端に有した挿通口３９を中央に設けてなる止水カバー片３８を止ボルト４２で固着し、前記蓋体の通孔１６を貫通した動力ケーブル３０の周囲を密封したことを特徴とする。さらに、前記蓋体１５に設けた通孔１６は、動力ケーブル３０が挿通できるように略楕円形に形成してなることを特徴とする。
【０００６】
上記のように、吐出曲管架台３の周面に設けたガス抜ソケット１３に、９０度、１８０度などの間隔を存して複数個設けてあれば、例えば１つのガス抜ソケットの延長方向に障害物などが存在して使用できない場合でも、他の方向に位置したガス抜ソケットを利用して井戸内から排出した可燃性ガスを大気中に排出するようにすればガスが溜まることがなく安全である。
【０００７】
動力ケーブル３０が挿通する通孔１６は、該動力ケーブルの外形と略同形であって円形ではなく略楕円形をしているが、該通孔の上面に取付けたアダプター３２の下面周囲に設けた凹溝３２ｂ内にオーリングおよび該アダプターの中央に設けた貫通穴３３の上面に取付けた止水カバー片３８の中央に設けた挿通口３９の下端に設けてある斜押圧面３９ａによって押圧されたオーリングで動力ケーブル３０の周面を密封することにより、該動力ケーブルを貫通させた蓋体１５を前記吐出曲管架台３の上面に密封して取付けることができる。
【考案を実施するための最良の形態】
【０００８】
本考案の実施の形態を図面に基づいて説明すると、図１は本考案の一部破断した要部の断面図、図２は吐出曲管架台とケーシングとの接合部分を示した要部拡大断面図、図３は図１のＸ−Ｘ線断面図、図４は吐出曲管架台の平面図、図５は動力ケーブルが挿通する孔部を示した平面図、図６は図５のＹ−Ｙ線断面図、図７は図５における第３のオーリングを取外した状態の拡大断面図である。
【０００９】
１は、直線状に連結して土中２に挿入させた井戸用のケーシングで、上端部１ａを地上に突出させてある。３は該ケーシングの上端に着脱可能に固着させる筒状をした吐出曲管架台で、該架台３の上端外周に環状鍔４を固着してあり、環状鍔４には複数の連通孔５を上下方向に一定間隔ごとに設けてある。
【００１０】
この架台３の下端内面には下方から前記ケーシング１の外径よりやや大径な内径をした第１環状凹部７を形成し、さらに、該凹部７の上方に連続して該凹部７より小径であって前記ケーシング１と略同径な内径をした第２環状凹部８を設けてある。
【００１１】
９は第２環状凹部８内に収容したケーシング１の外面に接して前記凹部７内に下方から挿入させる固定リングであって、一体の環状に限らず半割状のものを複数組み合わせるようにしてもよい。ケーシング１の上部に前記架台３の第２環状凹部８の上端を掛止し、ついで、ケーシング１と前記架台３との間の第１環状凹部７内に第１のオーリング１１を収容し、該凹部７内に下方から挿入した固定リング９の上端で前記オーリング１１を圧着させて該固定リングに設けたねじ口１０に第１の止ボルト１２を螺合させてケーシング１と前記架台３とを密封状態に連結してある。さらに、前記架台３の周面に１又は複数設けた開口３ａの外側に筒状のガス抜ソケット１３を固着してある。
【００１２】
１５は吐出曲管架台３の上面を塞ぐ蓋体で、周囲を前記架台３の上部周囲に設けた環状鍔４上に合致させ、該環状鍔に設けた連通孔５と蓋体の周囲に複数設けた通孔２４、２４とを合致させ、パッキン１７を介して複数の取付ボルト１８で固着してある。
【００１３】
２０は蓋体１５の中央部分に貫通して取付ける吐出曲管であり、上部を略９０度湾曲させて先端を大径のフランジ状に形成した連結端部２１を設けてある。この吐出曲管２０の下部は蓋体１５の下側に突出させて適宜公知の継手２２を介して揚水パイプ２３に接続し、該揚水パイプ２３の下端には温泉水を汲み上げる水中ポンプ（図示せず）を連結してある。
【００１４】
２５は吐出曲管２０の上部に連結して設けた小径の分岐パイプで、該分岐パイプ２５に連結して設けた空気抜弁２６は温泉水中に含まれる空気などの気体を温泉水の中から取り除き、下端を蓋体１５の下面に連通させた戻しパイプ２７を介してケーシング１内、即ち、井戸内に戻すようにしてある。また、この分岐パイプ２５の途中から分岐させたパイプ２８には、作動中のポンプの状態を確認するための連成計２９を連結してある。
【００１５】
図３、４において、蓋体１５の上面両側には、クレーン等に取付けたワイヤーの先端を止着することができるアイボルト１５ａを固着してあり、さらに、蓋体１５の中心には上部を直角に湾曲させて水平方向に折り曲げた吐出曲管２０や、動力ケーブルを挿通させる通孔１６を設けてある。
【００１６】
図６に示すように、蓋体１５の通孔１６を貫通させた動力ケーブル３０の周囲を密封するために、該ケーブル３０を挿通させるアダプター３２は、その中心に前記通孔１６と略同形な略楕円形状をした貫通穴３３を設けてある。このアダプター３２の下面外周には、大径な第２のオーリング３４を収容するための凹溝３２ｂを設けてあり、さらに、該アダプター３２の周囲部分に設けた複数の取付孔３５と、蓋体の通孔１６の周囲に設けた有底状の受孔１６ａとを合致させて第１の止ボルト３６をそれぞれ挿通して該アダプター３２を蓋体１５に固着してある。
【００１７】
このアダプター３２の上面には、前記蓋体に設けた通孔１６に挿通した動力ケーブル３０とアダプター３２に設けた貫通穴３３との間を密封するために、該アダプター３２の上方に止水カバー片３８を取付け、該止水カバー片３８の中心部分には前記動力ケーブル３０が挿通する挿通口３９を形成してある。即ち、動力ケーブルの外側に装着させる第３のオーリング４０を押圧して動力ケーブル３０の周囲に密着させるように下向きに拡径させた斜押圧面３９ａを挿通口３９の下端に連続して設け、該止水カバー片３８に設けた第２の取付孔４１と前記アダプター３２に設けた第２の受孔４３とを合致させて第３の止ボルト４２を挿通してアダプター３２上に固着してある。
【００１８】
蓋体１５には、その他に低水位電極や水位センサーなどのケーブルが挿通した略円筒状をした貫通金物４５、４５をそれぞれ設けてあるが、これらは略円筒状をしているため容易に密封することができる。
【００１９】
以下、本考案に係る実施形態の作用について説明すると、地下の源泉に連通するまで井戸用のケーシング１を挿入して土中２に設置し、該ケーシングの上端部１ａに吐出曲管架台３の下端内側に設けた第２環状凹部８を掛止し、また、該ケーシングの外周に装着させた第１のオーリング１１を前記架台３の下端内面に設けた第１環状凹部７内に収容し、次いで、前記架台３の下端内の前記凹部７内に下方から固定リング９を挿入する。この固定リング９と前記凹部８との間でオーリング１１を圧着させた状態で該固定リング９に設けたねじ口１０に第１の止ボルト１２を螺合させて前記架台３とケーシング１との間を密封した状態で連結することができる。
【００２０】
さらに、上面にアイボルト１５ａを設けた蓋体１５には、吐出曲管２０および動力ケーブル３０と低水位電極や水位センサーケーブルを挿通させる貫通金物４４などを小孔４５に貫通して取付けてある。この場合、蓋体１５に設けた小孔４５、４５に挿通した貫通金物４４は円筒形であるため、通常のオーリングなどで容易に密封することができる。さらに、前記吐出曲管２０に接続した分岐パイプ２５と戻しパイプ２７との間には温泉水中に含まれる空気などの気体を通過させて除去する空気抜弁２６を設けてあり、分岐パイプ２５にはパイプ２８を介してポンプの作動状態を確認するための連成計２９を設けてある。
【００２１】
クレーンなどに設けたワイヤーの先端を前記アイボルト１５ａに止着して該蓋体１５を持ち上げ、前記架台３上にパッキン１７を介して密着させて取付ボルト１８を用いて固定する。前記蓋体１５に設けた略楕円形状の通孔１６に挿通させた動力ケーブル３０を密封状態に取付ける場合について説明すると、動力ケーブル３０の外径は円形でなく略楕円形状をした貫通穴３３を形成してあるため、前記通孔１６に挿通させた動力ケーブル３０とアダプター３２の貫通穴３３との間に間隙が生じる。
【００２２】
そのため、前記蓋体の通孔１６を貫通させた動力ケーブル３０に挿通させるアダプター３２は、中央に前記蓋体に設けた通孔１６より一回り小さい略楕円形状をした貫通穴３３を形成し、且つ、下部周囲に設けた凹溝３２ｂ内にアダプターの外径と略同径をした大径な第２のオーリング３４を装着させて該アダプターに設けた取付孔３５と蓋体１５に設けた受孔１６ａを合致させて第２の止ボルト３６で固着して蓋体１５とアダプタ−３２との間を密封してある。
【００２３】
さらに、前記動力ケーブル３０に小径の第３のオーリング４０を挿通させ、ついで、中央に挿通口３９を有した止水カバー片３８を挿通し、該止水カバー片の挿通口３９の下端内面に下向き拡径状をした斜押圧面３９ａで第３のオーリング４０を中心方向、即ち動力ケーブルの周面に圧着させ、止水カバー片３８に設けた第２の取付孔４１と前記アダプター３２に設けた第２の受孔４３とを合致させて複数の第３の止ボルト４２で固着して動力ケーブル３０の周囲をオーリング４０を介して該止水カバー片３８で密封してある。
【００２４】
即ち、第３のオーリング４０はアダプター３２と止水カバー片３８との間および動力ケーブルの周囲と止水カバー片３８との間を密封するものである。これにより、蓋体１５とアダプター３２は第２のオーリング３４で密封され、さらに、アダプター３２及び止水カバー片３８と動力ケーブル３０の周面との間は第３のオーリング４０で密封することにより、井戸内に漏れ出たガスは前記ガス抜ソケット１３以外の部分から井戸の外部に漏れ出るのを防止することができる。
【００２５】
図１、２に示すように、ケーシング１の上部は吐出曲管架台３及び蓋体１５で密封されているので、井戸内のガスが前記架台の外部に漏出することはない。そして、前記架台３の周面外側に設けたガス抜ソケット１３に接続した排気パイプ５０は、その先端部５１を建物などの外側に導き出して大気中に開口させてあるので、直ちに大気中に排出される。この場合、排気パイプの先端部５１を人の背の高さよりやや高い位置に設置してあれば、歩行しながらの喫煙タバコの火などで誤って引火することもない。
【００２６】
上記のように、建造物内に設置してある井戸内にたとえガスが排出されてもガス抜ソケット１３に接続した排気パイプ５０を介して先端部５１から常に大気中に排出しているので溜まることがない。そのため、無人状態で作動している自動機器のサーモスタットのスイッチが自動的にＯＮして火花が生じても、建造物内に可燃性ガスが存在しないので、引火して爆発する危険はなく安全である。
【００２７】
尚、本実施の形態において、蓋体１５上にアダプター３２および止水カバー片３８を止ボルト３６、４２で取外可能に固着してあるが、その他公知の方法で固着してもよいことはもちろんである。止ボルトを用いて固着してあれば、アダプター及び止水カバー片を取外してオーリングを容易に交換することができる利点がある。
【図面の簡単な説明】
【００２８】
【図１】本考案の一部破断した要部の断面図である。
【図２】吐出曲管架台とケーシングの接続部分を示した要部拡大断面図である。
【図３】図１のＸ−Ｘ線断面図である。
【図４】吐出曲管架台の平面図である。
【図５】動力ケーブルが挿通する通孔を示した平面図である。
【図６】図５のＹ−Ｙ線断面図である。
【図７】第３のオーリングを取り外した状態の図５のＢ−Ｂ線断面図である。
【符号の説明】
【００２９】
１    ケーシング
３    吐出曲管架台
７    第１環状凹部
８    第２環状凹部
９    固定リング
１１    オーリング
１２    止ボルト
１３    ガス抜ソケット
１５    蓋体
１６    通孔
２０    吐出曲管
２３    揚水パイプ
３０    動力ケーブル
３２    アダプター
３２ｂ  凹溝  
３３    貫通穴
３４    オーリング
３６    止ボルト
３８    止水カバー片
３９    挿通口
３９ａ  斜押圧面
４０    オーリング
４２    止ボルト
５０    排気パイプ
５１    先端部
【図１】
0003143725.tif 000003
【図２】
0003143725.tif 000004
【図３】
0003143725.tif 000005
【図４】
0003143725.tif 000006
【図５】
0003143725.tif 000007
【図６】
0003143725.tif 000008
【図７】
0003143725.tif 000009